(57)【要約】【課題】少ない工数と部品点数で、低コストに工事ができるようにする。【解決手段】金属板で一体的に形成され、一端側にネジ穴２３が設けられた帯板部２２と、帯板部２２の他端側に帯板部２２より幅広に形成された抜け防止用の幅広部２４とを有する支持板２１からなり、支持板２１の帯板部２２の一端側がデッキプレート１の下面側に突出し、且つ幅広部２４がデッキプレート１の上面側に位置する状態で、デッキプレートの穴１ａに取り付けられたブッシュ３０に支持され、デッキプレート１上に打設されたコンクリートに幅広部２４が埋設された状態で天井面に固定され、天井面から突出した帯板部２２のネジ穴２３に対するネジ止めにより被支持体を吊り下げ支持する。【選択図】図３
2007303061.tif 000002
【特許請求の範囲】
【請求項１】
デッキプレート上にコンクリートを打設することにより形成される天井面の下方に被支持体を吊り下げ支持するための吊り下げ支持具において、
金属板で一体的に形成され、一端側にネジ穴が設けられた帯板部と、該帯板部の他端側に該帯板部より幅広に形成された抜け防止用の幅広部とを有する支持板からなり、
前記支持板の帯板部の一端側が前記デッキプレートの下面側に突出し、且つ前記幅広部が前記デッキプレートの上面側に位置する状態で前記デッキプレートの穴に挿着され、該デッキプレート上に打設されたコンクリートに前記幅広部が埋設された状態で前記天井面に固定され、該天井面から突出した前記帯板部の前記ネジ穴に対するネジ止めにより被支持体を吊り下げ支持することを特徴とする吊り下げ支持具。
【請求項２】
前記支持板の前記帯板部には、その長さ方向に沿ってスリットが形成され、該スリットにより曲げおよび捩れ変形自在に形成されていることを特徴とする請求項１記載の吊り下げ支持具。
【請求項３】
前記デッキプレートの穴に嵌め込まれた状態で前記支持板を保持するブッシュを備えたことを特徴とする請求項１または請求項２記載の吊り下げ支持具。
【発明の詳細な説明】
【技術分野】
【０００１】
本発明は、デッキプレート上にコンクリートを打設することにより形成される天井面から被支持体を吊り下げ支持するための吊り下げ支持具において、特にアウトレットボックスや各種感知器等の被支持体を、少ない部品と工数で吊り下げ支持できるようにするための技術に関する。
【背景技術】
【０００２】
ビルディング、工場、倉庫、駅舎、その他建造物における配管、配線工事において、その配管や配線の中継に使用されるアウトレットボックスや各種感知器等を、コンクリートの打設により形成された天井面から吊り下げた状態で支持する場合がある。
【０００３】
このような被支持体をコンクリート打設により形成された天井面から吊り下げる構造として、天井面に一端側を固定された吊りボルトを用いた方法が従来からあった。
【０００４】
即ち、図１１に示すように、天井面を構成するデッキプレート１に穴１ａをあけ、この穴１ａに上側からインサート２を打ち込んでインサート２の下部２ａがデッキプレート１の下側に露呈するようにし、次に、デッキプレート１の上側にコンクリート３を打設する。
【０００５】
コンクリート打設後、インサート２のネジ穴２ｂに下側から吊りボルト４の上端部をネジ込んで固定する。
【０００６】
そして、図１２に示すように、例えばアウトレットボックス１０の背面板１０ａとコの字状に屈曲形成された固定金具５とで吊りボルト４を挟んだ状態にし、アウトレットボックス１０の内側から背面板１０ａに設けられた穴１１を介して、固定金具５の両端のネジ穴５ａ、５ｂにネジ６、７を締め付けて、アウトレットボックス１０を吊りボルト４に接した状態で固定する。
【発明の開示】
【発明が解決しようとする課題】
【０００７】
しかしながら、このような従来の方法では、（イ）インサート２のデッキプレート１の穴１ａへの打込み、（ロ）インサート２への吊りボルト４の取付け、（ハ）固定具５の取付け、という作業が必要で、施工に手間がかかり、多大な時間がかかっていた。
【０００８】
また、上記のように吊りボルト４と固定金具５を用いた方法は、複数の被支持体を１本の吊りボルトに支持する場合には有利であるが、アウトレットボックスや感知器を一つだけ支持すればよい場合には、過剰設計であって、部品点数および工数の点でコスト高となり、大型ビルディングでは無数の箇所にこの施工を行わなければならないため、施工者にとって大変な負担となっていた。
【０００９】
本発明は、上記問題を解決し、少ない工数と部品点数で、低コストに工事ができる吊り下げ支持具を提供することを目的としている。
【課題を解決するための手段】
【００１０】
前記目的を達成するために、本発明の請求項１の吊り下げ支持具は、
デッキプレート上にコンクリートを打設することにより形成される天井面の下方に被支持体を吊り下げ支持するための吊り下げ支持具において、
金属板で一体的に形成され、一端側にネジ穴が設けられた帯板部と、該帯板部の他端側に該帯板部より幅広に形成された抜け防止用の幅広部とを有する支持板からなり、
前記支持板の帯板部の一端側が前記デッキプレートの下面側に突出し、且つ前記幅広部が前記デッキプレートの上面側に位置する状態で前記デッキプレートの穴に挿着され、該デッキプレート上に打設されたコンクリートに前記幅広部が埋設された状態で前記天井面に固定され、該天井面から突出した前記帯板部の前記ネジ穴に対するネジ止めにより被支持体を吊り下げ支持することを特徴としている。
【００１１】
また、本発明の請求項２の吊り下げ支持具は、請求項１記載の吊り下げ支持具において、
前記支持板の前記帯板部には、その長さ方向に沿ってスリットが形成され、該スリットにより曲げおよび捩れ変形自在に形成されていることを特徴としている。
【００１２】
また、本発明の請求項３の吊り下げ支持具は、請求項１または請求項２記載の吊り下げ支持具において、
前記デッキプレートの穴に嵌め込まれた状態で前記支持板を保持するブッシュを備えたことを特徴としている。
【発明の効果】
【００１３】
このように構成されているため、本発明の吊り下げ支持具は、支持板をデッキプレートの穴に挿着し、コンクリート打設により形成された天井面から突出する帯板部のネジ穴にネジ止めすることで被支持体を吊り下げ支持でき、少ない工程、部品数で低コストに工事することができる。
【００１４】
また、帯板部にスリットが設けられていて捩れ、曲げの変形が自在な場合、コンクリート打設後に被支持体の姿勢の変更や修正を簡単に行える。
【００１５】
また、デッキプレートの穴に嵌めたブッシュにより支持板を保持する構造の場合、コンクリート打設時の支持板の姿勢変化を防止できる。
【発明を実施するための最良の形態】
【００１６】
以下、図面に基づいて本発明の実施の形態を説明する。
図１は、デッキプレート上にコンクリートを打設することにより形成される天井面からアウトレットボックス等の被支持体を吊り下げ支持するための実施形態の吊り下げ支持具２０を示している。
【００１７】
図１に示しているように、この吊り下げ支持具２０は、支持板２１とブッシュ３０により構成されている。
【００１８】
支持板２１は平板構造で、金属板に対するプレス加工などにより一体的に形成され、一定幅で上下方向に直線的に延び下端にネジ穴２３が設けられた帯板部２２と、帯板部２２の上端に帯板部２２より幅広に形成された抜け防止用の幅広部２４とを有している。幅広部２４の中央には円形の穴２４ａが設けられている。
【００１９】
また、帯板部２２の中央には、その長さ方向（上下方向）に沿って所定幅のスリット２５が形成されており、このスリット２５により帯板部２２は、比較的弱い力で、曲げおよび捩れ変形が自在となっている。
【００２０】
一方、ブッシュ３０はゴムなどの弾性変形材で形成され、図３、図４に示すようにデッキプレート１の円形の穴１ａに嵌め込まれた状態で支持板２１を保持する。
【００２１】
即ち、ブッシュ３０は、図１、図２に示しているように、穴１ａより小径の円板状でデッキプレート１とほぼ等しい厚さを有する基部３１と、基部３１の上部に同心状に設けられ、穴１ａより大径の略円板状に形成された鍔部３２と、基部３１の下部に同心状に設けられ、基部３１寄りの径が穴１ａの径より大で、基部３１から離間する程径が小さくなり、先端の径が穴１ａの径より小となる切頭逆円錐状のテーパ部３３とを有しており、その中心部には、支持板２１の帯板部２２を通過させ且つ幅広部２４の通過を阻止する穴３４が、上下方向に貫通するように形成されている。また、鍔部３２の下面側外縁には、リブ３２ａが環状に突設されている。
【００２２】
また、この穴３４の開口の幅と高さは、支持板２１の帯板部２２の幅と厚さよりそれぞれ僅かずつ小となるように設定され、支持板２１が挿着されたとき穴３４が僅かに拡がるように弾性変形し、その復帰力で帯板部２２の外周に密着して隙間を生じさせないようになっている。
【００２３】
この支持板２１とブッシュ３０からなる吊り下げ支持具２０を使用する場合、支持板２１をブッシュ３０の穴３４に挿着した状態でデッキプレート１の穴１ａに嵌め込む方法と、予めデッキプレート１の穴１ａにブッシュ３０を嵌め込み、その後にブッシュ３０の穴３４に支持板２１を挿着する方法のいずれでもよい。
【００２４】
ブッシュ３０を先にデッキプレート１に嵌め込む場合には、図３に示しているように、デッキプレート１の穴１ａに上方からテーパ部３３の先端側を挿入して押し込み、テーパ部３３の基部３１寄りの外縁を弾性変形させながら進入させ、テーパ部３３全体が穴１ａを通過した状態にする。この段階でテーパ部３３の外縁が弾性復帰し、図４に示しているように、鍔部３２との間で穴１ａの周縁を挟んだ状態、即ち、抜けない状態で固定される。また、この状態で、鍔部３２の下面側のリブ３２ａがデッキプレート１の穴１ａの周りに強く当接して、鍔部３２とデッキプレート１の上面との間に隙間を生じさせないようになっている。
【００２５】
そして、このブッシュ３０の穴３４に上方から支持板２１の帯板部２２を下端側から挿入し、幅広部２４の下端と穴３４の上端とが当接するまで押し込む。
【００２６】
この作業により、図４に示しているように、穴１ａに隙間がない状態（コンクリート打設時のコンクリート材の漏れを防止できる状態）で、支持板２１を、その帯板部２２の下端側がデッキプレート１の下面側に突出し、幅広部２４がデッキプレート１の上面側に突出した状態で、デッキプレート１の穴１ａに挿着することができる。
【００２７】
そして、図５のように、デッキプレート１の上面側にコンクリート３を打設し、養生することで、支持板２１の幅広部２４がコンクリート３に埋設されて、支持板２１が天井面に固定される。
【００２８】
ここで、コンクリート３は支持板２１の幅広部２４の周囲だけでなく、幅広部２４の穴２４ａを埋めるように流れて固まるので、支持板２１は堅固に固定される。また、支持板２１はブッシュ３０に保持された状態で穴１ａに挿着されているので、コンクリート打設時の衝撃等による傾きや、軸周りの回転が抑制され、ほぼ垂直状態で所望の向きの状態で固定される。
【００２９】
そして、この状態で図５に示しているように、電線管の中継等に使用するためのアウトレットボックス１０の背面板１０ａを支持板２１の帯板部２２に接した状態とし、アウトレットボックス１０の内側からネジ２６を背面板１０ａのネジ穴１１（図１２参照）を通過させて帯板部２２のネジ穴２３に螺着することで、図６のようにアウトレットボックス１０を吊り下げ支持できる。
【００３０】
このように実施形態の吊り下げ支持具２０を用いることで、前記した吊りボルトと固定金具を用いた従来方法に比べて、少ない部品と工数でアウトレットボックス１０を吊り下げ支持でき、被支持体が多い場合でも低コストに工事できる。
【００３１】
また、この実施形態の吊り下げ支持具２０の支持板２１は、帯板部２２にスリット２５が設けられていて、曲げ変形や捩れ変形が自在になっているので、例えば、図７に示すように帯板部２２を捩じったり、図８に示すように曲げる、あるいは両者を併用することで、コンクリート打設後であっても、被支持体であるアウトレットボックス１０の向きを簡単に変更あるいは修正することができる。
【００３２】
この実施形態では、コンクリート打設時のコンクリート材の漏れを防ぐとともに、支持板２１の傾きや軸周りの回転を防ぐためにブッシュ３０を用いていたが、前記したように、支持板２１の帯板部２２はスリット２５により変形自在で、傾いたり、向きが変化しても修正できるので、支持板２１に対する保持機能を持たないもの、例えば、デッキプレート１の穴１ａを塞ぐテープ類等で代用することもできる。
【００３３】
また、デッキプレート１に設ける穴１ａの形状を、支持板２１の帯板部２２を通過させ、幅広部２４の通過を阻止する大きさの長穴にすることができる場合には、ブッシュやテープ等を用いずに、図９のように、支持板２１をデッキプレート１の穴１ａに挿着した状態で、コンクリートを打設して支持板２１を固定し、その支持板２１でアウトレットボックス１０を支持することもできる。また、穴１ａの形状に限らず、コンクリート材の漏れが問題にならない場合にも、このブッシュなどを用いない方法を採用できる。
【００３４】
また、上記実施形態では、被支持体がアウトレットボックス１０の場合について説明したが、支持板２１の帯板部２２のネジ穴２３に対するネジ止めで支持可能なものであれば被支持体は任意である。
【００３５】
また、上記例のように被支持体を直接ネジ止めして支持する方法だけでなく、支持板２１と被支持体との間に他の部材を介在させてもよい。
【００３６】
例えば、図１０のように、帯板２２の下端と被支持体としての感知器１７の上面側との間を、Ｌ字板２７を用いて連結して間接的に支持することもできる。ここでＬ字板２７のが支持板２１にネジ止めされ、水平片２７ｂ側が感知器１７にネジ止めされる。
【図面の簡単な説明】
【００３７】
【図１】本発明の実施形態の斜視図
【図２】実施形態の要部の拡大側面図
【図３】実施形態の吊り下げ支持具を用いた作業を説明するための図
【図４】実施形態の吊り下げ支持具を用いた作業を説明するための図
【図５】実施形態の吊り下げ支持具を用いた作業を説明するための図
【図６】実施形態の吊り下げ支持具を用いた作業を説明するための図
【図７】実施形態の吊り下げ支持具を用いた作業を説明するための図
【図８】実施形態の吊り下げ支持具を用いた作業を説明するための図
【図９】ブッシュを用いない場合の支持状態を示す図
【図１０】他部材を併用して感知器を支持する例を示す図
【図１１】従来の吊り下げ支持構造を示す図
【図１２】従来の吊り下げ支持構造を示す図
【符号の説明】
【００３８】
１……デッキプレート、１ａ……穴、１０……アウトレットボックス、１７……感知器、２０……吊り下げ支持具、２１……支持板、２２……帯板部、２３……ネジ穴、２４……幅広部、２４ａ……穴、２５……スリット、２７……Ｌ字板、３０……ブッシュ、３１……基部、３２……鍔部、３３……テーパ部
【図１】
2007303061.tif 000003
【図２】
2007303061.tif 000004
【図３】
2007303061.tif 000005
【図４】
2007303061.tif 000006
【図５】
2007303061.tif 000007
【図６】
2007303061.tif 000008
【図７】
2007303061.tif 000009
【図８】
2007303061.tif 000010
【図９】
2007303061.tif 000011
【図１０】
2007303061.tif 000012
【図１１】
2007303061.tif 000013
【図１２】
2007303061.tif 000014